(57)【要約】【課題】  等倍以上の撮影倍率での撮影が可能であって、小型かつ光学性能の高い光学系を提供することである。【解決手段】  各実施例の光学系は無限遠から近距離へのフォーカシングに際して隣り合うレンズ群の間隔が変化し、全系の横倍率をβとしたときにβ＝−１．２となる第１の合焦状態をとることが可能である。各実施例の光学系は複数のフォーカスレンズ群を有し、無限遠合焦時においてフォーカス敏感度の絶対値が最も大きいものと２番目に大きいもののうち、物体側にある方をレンズ群ＬＡ、像側にある方をレンズ群ＬＢとする。レンズ群ＬＢの像側に配置された全てのレンズから成る部分光学系ＬＣは負の屈折力を有する。部分光学系ＬＣは所定の条件式を満足する。【選択図】  図１
2020064123.tif 000002
【特許請求の範囲】
【請求項１】
無限遠から近距離へのフォーカシングに際して隣り合うレンズ群の間隔が変化し、全系の横倍率をβとしたときにβ＝−１．２となる第１の合焦状態をとることが可能である光学系であって、
無限遠から近距離へのフォーカシングに際して移動する複数のフォーカスレンズ群を有し、
無限遠合焦時において前記複数のフォーカスレンズ群の中でフォーカス敏感度の絶対値が最も大きいものと２番目に大きいもののうち、物体側にある方をレンズ群ＬＡ、像側にある方をレンズ群ＬＢとし、
前記レンズ群ＬＢの像側に配置された全てのレンズから成る部分光学系ＬＣは負の屈折力を有し、
前記第１の合焦状態における前記部分光学系ＬＣの焦点距離をｆＬＣＸ、前記第１の合焦状態における前記光学系の焦点距離をｆＸとしたとき、
−３．００＜ｆＬＣＸ／ｆＸ＜−０．５０
なる条件式を満足する光学系。
【請求項２】
β＝−１．０となる第２の合焦状態における前記部分光学系ＬＣの焦点距離をｆＬＣＹ、無限遠合焦時の前記光学系の焦点距離をｆとしたとき、
−１．２０＜ｆＬＣＹ／ｆ＜−０．２０
なる条件式を満足することを特徴とする請求項１に記載の光学系。
【請求項３】
前記レンズ群ＬＡの焦点距離をｆＬＡ、無限遠合焦時の前記光学系の焦点距離をｆとしたとき、
０．１０＜｜ｆＬＡ／ｆ｜＜０．５０
なる条件式を満足することを特徴とする請求項１または２に記載の光学系。
【請求項４】
前記光学系において最も像側に配置されたレンズの像側のレンズ面から像面までの無限遠合焦時での距離をｓｋ、β＝−１．０となる第２の合焦状態における前記部分光学系ＬＣの焦点距離をｆＬＣＹとしたとき、
−１．００＜ｓｋ／ｆＬＣＹ＜−０．１０
なる条件式を満足することを特徴とする請求項１乃至３のいずれか一項に記載の光学系。
【請求項５】
無限遠合焦時における前記レンズ群ＬＡのフォーカス敏感度をＥＳＡとしたとき、
２．５０＜｜ＥＳＡ｜＜７．５０
なる条件式を満足することを特徴とする請求項１乃至４のいずれか一項に記載の光学系。
【請求項６】
無限遠合焦時における前記レンズ群ＬＢのフォーカス敏感度をＥＳＡとしたとき、
０．１０＜｜ＥＳＢ｜＜６．００
なる条件式を満足することを特徴とする請求項１乃至５のいずれか一項に記載の光学系。
【請求項７】
無限遠合焦時からβ＝−１．０となる第２の合焦状態となるまでの前記レンズ群ＬＡの移動量をＭＡ、無限遠合焦時から前記第２の合焦状態となるまでの前記レンズ群ＬＢの移動量をＭＢ、無限遠合焦時の前記光学系の焦点距離をｆとしたとき、
０．０５＜（｜ＭＡ｜＋｜ＭＢ｜）／ｆ＜０．６０
なる条件式を満足することを特徴とする請求項１乃至６のいずれか一項に記載された光学系。
【請求項８】
開口絞りを有し、
無限遠合焦時の前記開口絞りから像面までの距離をＤｉ、無限遠合焦時の前記光学系の焦点距離をｆとしたとき、
０．５０＜Ｄｉ／ｆ＜１．５０
なる条件式を満足することを特徴とする請求項１乃至７のいずれか一項に記載された光学系。
【請求項９】
前記光学系において最も物体側に配置された第１レンズ群は正の屈折力を有することを特徴とする請求項１乃至８のいずれか一項に記載の光学系。
【請求項１０】
前記第１レンズ群Ｌ１の焦点距離をｆＬ１、無限遠合焦時の前記光学系の焦点距離をｆとしたとき、
０．１０＜ｆＬ１／ｆ＜２．５０
なる条件式を満足することを特徴とする請求項９に記載の光学系。
【請求項１１】
前記レンズ群ＬＡは負の屈折力を有することを特徴とする請求項９または１０のいずれか一項に記載の光学系。
【請求項１２】
前記光学系において最も像面側に配置されたレンズは正の屈折力を有することを特徴とする請求項１乃至１１のいずれか一項に記載の光学系。
【請求項１３】
前記光学系において最も像面側に配置されたレンズの焦点距離をｆＩ、無限遠合焦時の前記光学系の焦点距離をｆとしたとき、
０．２５＜ｆＩ／ｆ＜２．２０
なる条件式を満足することを特徴とする請求項１２に記載の光学系。
【請求項１４】
前記光学系において、撮影倍率が最大であるときの横倍率をβｍとしたとき、
−５．０＜βｍ＜−１．２
なる条件式を満足することを特徴とする請求項１乃至１３のいずれか一項に記載の光学系。
【請求項１５】
前記光学系において無限遠から近距離へのフォーカシングに際して移動するレンズ群は、３つ以下であることを特徴とする請求項１乃至１４のいずれか一項に記載の光学系。
【請求項１６】
開口絞りを有し、
前記レンズ群ＬＡは前記開口絞りの光入射側に配置され、
前記レンズ群ＬＢは前記開口絞りの光出射側に配置されていることを特徴とする請求項１乃至１５のいずれか一項に記載の光学系。
【請求項１７】
前記レンズ群ＬＡは、負レンズと正レンズを含む３枚以上のレンズを有することを特徴とする請求項１乃至１６のいずれか一項に記載の光学系。
【請求項１８】
前記レンズ群ＬＢは負レンズと正レンズを含む２枚以上のレンズを有することを特徴とする請求項１乃至１７のいずれか一項に記載の光学系。
【請求項１９】
前記光学系において最も物体側に配置された第１レンズ群はフォーカシングに際して不動であることを特徴とする請求項１乃至１８のいずれか一項に記載の光学系。
【請求項２０】
請求項１乃至１９のいずれか一項に記載の光学系と、前記光学系によって形成される光学像を光電変換する撮像素子と、を有することを特徴とする撮像装置。
【発明の詳細な説明】
【技術分野】
【０００１】
本発明は、光学系に関し、デジタルビデオカメラ、デジタルスチルカメラ、放送用カメラ、銀塩フィルム用カメラ、監視用カメラ等に好適なものである。
【背景技術】
【０００２】
近接撮影が可能なレンズとしてマクロレンズが知られている。近年、無限遠物体の撮影が可能でありながら、近接撮影時の撮影倍率を等倍以上に拡大した撮影が可能であるようなマクロレンズが求められている。
【０００３】
特許文献１には、無限遠物体距離から撮影倍率２倍程度の拡大撮影が可能な光学系（マクロレンズ）が記載されている。
【先行技術文献】
【特許文献】
【０００４】
【特許文献１】特開２０１５−０３４８９９号公報
【発明の概要】
【発明が解決しようとする課題】
【０００５】
特許文献１の光学系では、最も像側に正の屈折力のレンズ群を配置することでフォーカスレンズ群の移動距離の短縮と拡大撮影における光学性能の低下の抑制を図っている。しかしながら、撮影倍率の拡大に伴い、レンズ径の大型化を招いてしまうおそれがある。
【０００６】
本発明は、等倍以上の撮影倍率での撮影が可能とする、小型かつ光学性能の高い光学系を提供することを目的とする。
【課題を解決するための手段】
【０００７】
本発明の光学系は、無限遠から近距離へのフォーカシングに際して隣り合うレンズ群の間隔が変化し、全系の横倍率をβとしたときにβ＝−１．２となる第１の合焦状態をとることが可能である光学系であって、無限遠から近距離へのフォーカシングに際して移動する複数のフォーカスレンズ群を有し、無限遠合焦時において前記複数のフォーカスレンズ群の中でフォーカス敏感度の絶対値が最も大きいものと２番目に大きいもののうち、物体側にある方をレンズ群ＬＡ、像側にある方をレンズ群ＬＢとし、前記レンズ群ＬＢの像側に配置された全てのレンズから成る部分光学系ＬＣは負の屈折力を有し、前記第１の合焦状態における前記部分光学系ＬＣの焦点距離をｆＬＣＸ、前記第１の合焦状態における前記光学系の焦点距離をｆＸとしたとき、
−３．００＜ｆＬＣＸ／ｆＸ＜−０．５０
なる条件式を満足する。
【発明の効果】
【０００８】
本発明によれば、等倍以上の撮影倍率での撮影を可能とする、小型かつ光学性能の高い光学系を実現することができる。
【図面の簡単な説明】
【０００９】
【図１】実施例１の光学系の断面図である。
【図２】実施例１の光学系の収差図である。
【図３】実施例２の光学系の断面図である。
【図４】実施例２の光学系の収差図である。
【図５】実施例３の光学系の断面図である。
【図６】実施例３の光学系の収差図である。
【図７】実施例４の光学系の断面図である。
【図８】実施例４の光学系の収差図である。
【図９】実施例５の光学系の断面図である。
【図１０】実施例５の光学系の収差図である。
【図１１】実施例６の光学系の断面図である。
【図１２】実施例６の光学系の収差図である。
【図１３】実施例７の光学系の断面図である。
【図１４】実施例７の光学系の収差図である。
【図１５】実施例８の光学系の断面図である。
【図１６】実施例８の光学系の収差図である。
【図１７】撮像装置の概略図である。
【発明を実施するための形態】
【００１０】
以下、本発明の光学系及びそれを有する撮像装置の実施例について、添付の図面に基づいて説明する。
【００１１】
図１（Ａ）、３（Ａ）、５（Ａ）、７（Ａ）、９（Ａ）、１１（Ａ）、１３（Ａ）、１５（Ａ）は、それぞれ実施例１乃至８の光学系の無限遠合焦時における断面図である。図１（Ｂ）、３（Ｂ）、５（Ｂ）、７（Ｂ）、９（Ｂ）、１１（Ｂ）、１３（Ｂ）、１５（Ｂ）は、それぞれ有限距離に合焦したときの実施例１乃至８の光学系の断面図である。この時の撮影倍率は各図に示した通りである。各実施例の光学系はデジタルビデオカメラ、デジタルスチルカメラ、放送用カメラ、銀塩フィルム用カメラ、監視用カメラ等の撮像装置に用いられる光学系である。
【００１２】
各レンズ断面図において左方が物体側で、右方が像側である。各実施例の光学系は複数のレンズ群を有して構成されている。本願明細書においてレンズ群とは、フォーカシングに際して一体的に移動または静止するレンズのまとまりである。すなわち、各実施例の光学系では、無限遠から近距離へのフォーカシングに際して隣接するレンズ群同士の間隔が変化する。なお、レンズ群は１枚のレンズから構成されていても良いし、複数のレンズから成っていても良い。また、レンズ群は開口絞りを含んでいても良い。
【００１３】
各レンズ断面図において、Ｌｉは物体側から数えてｉ番目（ｉは自然数）の第ｉレンズ群を表している。また、ＳＰはＦナンバー（Ｆｎｏ）光束を決定（制限）する主絞り（開口絞り）であり、ＳＰ２は撮影倍率の変化に伴い絞り径を小さくするとともに不要な光線をカットする副絞りである。ＩＰは像面であり、各実施例の光学系をデジタルスチルカメラやデジタルビデオカメラの撮影光学系として使用する際にはＣＣＤセンサやＣＭＯＳセンサ等の固体撮像素子（光電変換素子）の撮像面が配置される。各実施例の光学系を銀塩フィルム用カメラの撮影光学系として使用する際には像面ＩＰにはフィルム面に相当する感光面が置かれる。ＧＢは像面の物体側に置かれる光学フィルターを示している。
【００１４】
また、各実施例の光学系は複数のフォーカスレンズ群を有している。フォーカスレンズ群とは、フォーカシングに際して移動するレンズ群である。各レンズ断面図に示した矢印は無限遠から近距離へのフォーカシングに際してのフォーカスレンズ群の移動方向を表している。
【００１５】
図２、４、６、８、１０、１２、１４、１６は、それぞれ実施例１乃至８の光学系の収差図である。各収差図において（Ａ）は無限遠合焦時の収差図、（Ｂ）から（Ｄ）はそれぞれ有限距離物体に合焦した時の収差図である。各収差図の（Ｂ）から（Ｄ）の横倍率は、それぞれの収差図中に示した通りである。
【００１６】
球面収差図においてＦｎｏはＦナンバーであり、ｄ線（波長５８７．６ｎｍ）、ｇ線（波長４３５．８ｎｍ）に対する球面収差量を示している。非点収差図においてΔＳはサジタル像面における非点収差量、ΔＭはメリディオナル像面における非点収差量を示している。歪曲収差図においてｄ線に対する歪曲収差量を示している。色収差図ではｇ線における色収差量を示している。ωは撮像半画角（°）である。
【００１７】
次に、各実施例の光学系における特徴的な構成について述べる。
【００１８】
各実施例の光学系は、少なくともβ＝−１．２となる合焦状態での撮影が可能であるマクロレンズである。以下では、β＝−１．２となる合焦状態を第１の合焦状態と称する。
【００１９】
マクロレンズにおいて、レンズ全長を短縮しようとすると近距離側で特に球面収差やコマ収差の補正と像面湾曲の補正の両立が困難になる場合がある。このため、各実施例の光学系ではフォーカスレンズ群を複数設けて、いわゆるフローティング方式を採用している。以下では、各実施例の光学系において、無限遠合焦時に複数のフォーカスレンズ群の中でフォーカス敏感度の絶対値が最も大きいものと２番目に大きいもののうち、物体側にある方をレンズ群ＬＡ、像側にある方をレンズ群ＬＢと呼ぶ。レンズ群ＬＡおよびレンズ群ＬＢは、各実施例の光学系における主たるフォーカス機能を担うレンズ群であるともいえる。なお、任意のレンズ群Ｌｉのフォーカス敏感度ＥＳｉは、無限遠合焦時におけるレンズ群Ｌｉの横倍率をβｉ、レンズ群Ｌｉより像側に配置される全てのレンズ群の合成横倍率をβｒとしたとき、以下の式で定義される。
ＥＳｉ＝（１−βｉ２）×βｒ２
【００２０】
ここで、フローティング方式を採用した場合に、第１の合焦状態での撮影が可能となるほどに撮影倍率を高めようとすると各フォーカスレンズ群の移動量が大きくなってしまう。このため、各フォーカスレンズ群の移動量を確保する必要が生じ、レンズ全長を短縮することが困難となる。
【００２１】
そこで、各実施例の光学系ではレンズ群ＬＢの像側に配置された全てのレンズから成る部分光学系ＬＣの屈折力を適切に設定している。これにより、各実施例の光学系は小型でありながら高い光学性能を備え、さらに等倍以上の高い撮影倍率での撮影を可能としている。
【００２２】
具体的には、各実施例の光学系では部分光学系ＬＣを負の屈折力としている。これにより、射出瞳を像面に近い位置に配置できるため、バックフォーカスを短縮することができる。これにより、レンズ全長の短縮化が可能となる。また、部分光学系ＬＣを負の屈折力とすることで光学系において像面に近い位置に配置されるレンズのレンズ径を小さくすることができる。
【００２３】
また、各実施例の光学系は、第１の合焦状態における部分光学系ＬＣの焦点距離をｆＬＣＸ、第１の合焦状態における光学系全系の焦点距離をｆＸとしたとき、以下の条件式（１）を満足する。
−３．００＜ｆＬＣＸ／ｆＸ＜−０．５０  （１）
【００２４】
条件式（１）は、第１の合焦状態における全系の焦点距離と部分光学系ＬＣの焦点距離の関係を規定するものである。条件式（１）を満たすことで、歪曲収差や倍率色収差の補正とレンズ全長の小型化が両立させることができる。
【００２５】
条件式（１）の上限値を上回ると、バックフォーカスが短くなりすぎる。この場合レンズ全長の短縮には有利だが、歪曲収差や倍率色収差の補正が困難になってしまう。収差の補正は部分光学系ＬＣのレンズ枚数を増やすことで行えるが、この場合結果としてレンズ全長の増大を招いてしまう。
【００２６】
条件式（１）の下限値を下回るほどに焦点距離ｆＣＬＸの負の屈折力が小さくなる、または焦点距離ｆＸが小さくなると、拡大撮影時のワーキングディスタンスの確保が難しくなってしまう。また、球面収差やコマ収差の補正が有利となるが、バックフォーカスが長くなってしまい、レンズ全長の増大を招いてしまう。
【００２７】
なお、条件式（１）の数値範囲は、以下の条件式（１ａ）の範囲とすることがより好ましく、条件式（１ｂ）の範囲とすることがさらに好ましい。
−２．７０＜ｆＬＣＸ／ｆＸ＜−０．６０  （１ａ）
−２．３０＜ｆＬＣＸ／ｆＸ＜−０．６３  （１ｂ）
【００２８】
以上の構成により、各実施例の光学系では、等倍以上の撮影倍率での撮影を可能とし高い光学性能を得つつ小型に構成することができている。
【００２９】
次に、各実施例の光学系が満足することが好ましい条件について述べる。各実施例の光学系は、以下の条件式（２）から（１１）のうち１つ以上を満足することが好ましい。ここで、ｆＬＣＹはβ＝−１．０である第２の合焦状態における部分光学系ＬＣの焦点距離である。ｆは無限遠合焦時の光学系全系の焦点距離である。ｆＬＡはレンズ群ＬＡの焦点距離である。ｓｋは光学系において最も像側に配置されたレンズの像側のレンズ面から像面までの無限遠合焦時での距離（空気換算でのバックフォーカス）である。ＥＳＡは無限遠フォーカス時におけるレンズ群ＬＡのフォーカス敏感度である。ＥＳＢは無限遠フォーカス時におけるレンズ群ＬＢのフォーカス敏感度である。ＭＡは無限遠合焦時から第２の合焦状態（β＝−１．０）となるまでのレンズ群ＬＡの移動量である。ＭＢは無限遠合焦時から第２の合焦状態となるまでのレンズ群ＬＢの移動量である。Ｄｉは無限遠合焦時における開口絞りＳＰから像面ＩＰまでの距離である。ｆＬ１は無限遠合焦時における第１レンズ群Ｌ１の焦点距離である。ｆＩは光学系において最も像面側に配置されたレンズの焦点距離である。なお、各実施例の光学系では最も像側に配置されたレンズは単レンズとなっているが、最も像側のレンズを接合レンズとしても良い。その場合、最も像側に配置された接合レンズのうち、像側に配置されたレンズの空気中における焦点距離（接合を剥がして単レンズとみなした場合の焦点距離）がｆＩである。βｍは各実施例の光学系において撮影倍率が最大であるときの横倍率である。
−１．２０＜ｆＬＣＹ／ｆ＜−０．２０  （２）
０．１０＜｜ｆＬＡ／ｆ｜＜０．５０  （３）
−１．００＜ｓｋ／ｆＬＣＹ＜−０．１０  （４）
２．５０＜｜ＥＳＡ｜＜７．５０  （５）
０．１０＜｜ＥＳＢ｜＜６．００  （６）
０．０５＜（｜ＭＡ｜＋｜ＭＢ｜）／ｆ＜０．６０  （７）
０．５０＜Ｄｉ／ｆ＜１．５０  （８）
０．１０＜ｆＬ１／ｆ＜２．５０  （９）
０．２５＜ｆＩ／ｆ＜２．２０  （１０）
−５．０＜βｍ＜−１．２  （１１）
【００３０】
条件式（２）は第２の合焦状態における部分光学系ＬＣの焦点距離ｆＬＣＹと全系の焦点距離の関係を規定するものである。条件式（２）を満足することで、撮影倍率の拡大とレンズ全長の更なる短縮を両立することができる。
【００３１】
条件式（２）の上限値を超えると、レンズ全長の短縮には有利になるが、歪曲収差や倍率色収差が発生しやすくなり、好ましくない。
【００３２】
条件式（２）の下限値を下回ると、バックフォーカスを短縮することが難しくなり、レンズ全長の増大を招き、レンズ全長を十分に短くすることが難しくなる。
【００３３】
条件式（３）はレンズ群ＬＡの焦点距離と全系の焦点距離の関係を規定したものである。条件式（３）を満足することで、光学性能を保ちつつフォーカシング時の移動量を小さくでき、レンズ全長をより短くできる。
【００３４】
条件式（３）の上限値を超えると、レンズ群ＬＡの屈折力が弱くなる結果フォーカシング時の移動量が増大してしまい、レンズ全長を十分短くすることが難しくなる。
【００３５】
条件式（３）の下限値を下回ると、レンズ群ＬＡの屈折力が強くなる結果フォーカシング時の球面収差や像面湾曲の変化量が増加してしまう。
【００３６】
条件式（４）は光学系のバックフォーカスと部分光学系ＬＣの第２の合焦状態における焦点距離の関係を規定したものである。条件式（４）を満足することで、部分光学系ＬＣのレンズ径をより小さくすることができる。
【００３７】
条件式（４）の上限値を超えると、バックフォーカスが短くなりすぎる。この場合、シャッター部材等の配置が難しくなり、各実施例の光学系をデジタルスチルカメラ等の撮像装置の撮影光学系として用いることが困難となる。
【００３８】
条件式（４）の下限値を下回ると、バックフォーカスが長くなりすぎ、レンズ径が増大し、光学系を十分小型に構成することが困難となる。
【００３９】
条件式（５）はレンズ群ＬＡのフォーカス敏感度ＥＳＡを規定したものである。
【００４０】
条件式（５）の上限値を超えると、フォーカシングに伴う画角の変化が大きくなってしまい、好ましくない。また、フォーカシング時の球面収差や像面湾曲の変化量が大きくなるおそれがある。
【００４１】
条件式（５）の下限値を下回ると、フォーカシング時のレンズ群ＬＡの移動量が増大し、レンズ全長を十分短くすることが困難となる。
【００４２】
条件式（６）はレンズ群ＬＢのフォーカス敏感度ＥＳＢを規定したものである。
【００４３】
条件式（６）の上限値を超えると、フォーカシングに伴う像面湾曲の変化量が増加するため好ましくない。
【００４４】
条件式（６）の下限値を下回ると、フォーカシング時のレンズ群ＬＢの移動量が増大し、レンズ全長を十分短くすることが困難となる。
【００４５】
条件式（７）はレンズ群ＬＡ、レンズ群ＬＢの移動距離と全系の焦点距離の関係を規定したものである。条件式（７）を満足することによってレンズ全長の更なる短縮を達成できる。
【００４６】
条件式（７）の上限値を超えると、フォーカシング時の球面収差や像面湾曲の変化量の抑制には有利だが、フォーカシングの際の移動量が多くなる。このため、レンズ全長を十分短くすることが困難となる。
【００４７】
条件式（７）の下限値を下回ると、光学系を十分小型に構成しつつフォーカシング時の撮影倍率の変化に必要なフォーカスレンズ群の移動量を確保することが困難となる。
【００４８】
条件式（８）は開口絞りＳＰから像面までの距離と全系の焦点距離の関係を規定したものである。条件式（８）を満足することによって、撮影倍率を拡大しつつ開口絞りＳＰより像側のレンズの径を小型化することができる。
【００４９】
条件式（８）の上限値を超えると、開口絞りＳＰより像面側のフォーカスレンズ群の移動量が大きくなるため、光学系の大型化を招く。
【００５０】
条件式（８）の下限値を超えると、開口絞りＳＰより物体側のフォーカスレンズ群の移動量が小さくなりすぎ、フォーカシング時の球面収差や像面湾曲の変化量が増加してしまう。
【００５１】
条件式（９）は無限遠合焦時における第１レンズ群Ｌ１の焦点距離と全系の焦点距離の関係を規定したものである。条件式（９）を満足することにより、レンズ全長の更なる短縮と球面収差の抑制両立できる。
【００５２】
条件式（９）の上限値を超えると、球面収差やコマ収差の発生を抑制には有利だが、レンズ全長の増大を招き易い。
【００５３】
条件式（９）の下限値を下回ると、第１レンズ群Ｌ１の屈折力が強くなりすぎ、第１レンズ群の偏心時のコマ収差敏感度が高くなる。このため光学系の製造時に過度な精度が求められ、好ましくない。
【００５４】
条件式（１０）は無限遠合焦時における全系の焦点距離と像面に最も近い位置に配置されたレンズの焦点距離との関係を規定したものである。条件式（１０）を満足することで、部分光学系ＬＣのレンズ径の小型化を図ることができる。
【００５５】
条件式（１０）の上限値を超えると、バックフォーカスを短縮することが難しくなり、光学系を十分小型に構成することが困難となる。
【００５６】
条件式（１０）の下限値を下回ると、最も像側に配置されたレンズの屈折力が強くなりすぎ、歪曲収差や倍率色収差が発生しやすくなる。結果として、光学性能を維持するには部分光学系ＬＣのレンズ径の小型化が難しくなってしまう。
【００５７】
条件式（１１）は、各実施例における最大撮影倍率を規定するものである。
【００５８】
条件式（１１）の上限値を上回る場合、撮影倍率が最大となる際の横倍率が不十分となり、被写体を十分に拡大して撮影することが困難となり好ましくない。
【００５９】
条件式（１１）の下限値を下回る場合、撮影倍率が最大となる際の横倍率の絶対値が大きくなりすぎ、光学性能を保ちつつレンズ全長を十分短くすることが困難となるため好ましくない。
【００６０】
なお、条件式（２）乃至（１１）の数値範囲は、以下の条件式（２ａ）乃至（１１ａ）の範囲とすることがより好ましい。
−１．１０＜ｆＬＣＹ／ｆ＜−０．２５  （２ａ）
０．１５＜｜ｆＬＡ／ｆ｜＜０．４５  （３ａ）
−０．９５＜ｓｋ／ｆＬＣＹ＜−０．１５  （４ａ）
２．７０＜｜ＥＳＡ｜＜７．３０  （５ａ）
２．３０＜｜ＥＳＢ｜＜５．７０  （６ａ）
０．１０＜（｜ＭＡ｜＋｜ＭＢ｜）／ｆ＜０．５０  （７ａ）
０．６０＜Ｄｉ／ｆ＜１．３５  （８ａ）
０．２０＜ｆＬ１／ｆ＜２．２０  （９ａ）
０．３０＜ｆＩ／ｆ＜２．００  （１０ａ）
−４．００＜βｍ＜−１．２３  （１１ａ）
【００６１】
また、条件式（２）乃至（１１）の数値範囲は、以下の条件式（２ｂ）乃至（１１ｂ）の範囲とすることがさらに好ましい。
−１．０５＜ｆＬＣＹ／ｆ＜−０．２８  （２ｂ）
０．１７＜｜ｆＬＡ／ｆ｜＜０．４０  （３ｂ）
−０．９０＜ｓｋ／ｆＬＣＹ＜−０．２０  （４ｂ）
２．８０＜｜ＥＳＡ｜＜７．２０  （５ｂ）
２．４０＜｜ＥＳＢ｜＜５．６０  （６ｂ）
０．１５＜（｜ＭＡ｜＋｜ＭＢ｜）／ｆ＜０．４７  （７ｂ）
０．６３＜Ｄｉ／ｆ＜１．３０  （８ｂ）
０．３０＜ｆＬ１／ｆ＜２．１０  （９ｂ）
０．３５＜ｆＩ／ｆ＜１．９０  （１０ｂ）
−３．５０＜βｍ＜−１．２６  （１１ｂ）
【００６２】
次に、各実施例の光学系における好ましい構成について述べる。
【００６３】
各実施例の光学系において、像面ＩＰに最も近い位置に配置されるレンズは正の屈折力を有することが好ましい。ここで、像面ＩＰに最も近い位置に配置されるレンズが接合レンズである場合には、当該接合レンズの像側のレンズの空気中での屈折力が正であることが好ましい。マクロレンズのような撮影倍率が大きいレンズでは、無限遠から近距離へのフォーカシングに伴う軸外光線の高さの変化が、通常レンズに比べて大きくなり易い。最も像側に正レンズを配置することで、射出瞳が過度に像面ＩＰに近くなることを抑えることができる。これによって、フォーカシングに伴う倍率色収差や歪曲収差の変動を抑えることが可能となる。
【００６４】
また、フォーカスレンズ群をより多く設けた場合、フォーカシングに伴う光学性能の変動をより小さくすることができるが、制御が煩雑になる。また、フォーカスレンズ群を移動させるための機構が複雑になり、光学系の大型を招くおそれがある。このため、各実施例においてフォーカシングに際して移動するフォーカスレンズ群は３つ以下であることが好ましい。すなわち、フォーカスレンズ群は２つまたは３つであることが好ましい。
【００６５】
また、レンズ全長をより短縮するためには第１レンズ群Ｌ１は正の屈折力を有することが好ましい。また、第１レンズ群Ｌ１が正の屈折力を有する場合、レンズ群ＬＡは負の屈折力を有することが好ましい。これにより第１レンズ群Ｌ１で生じた諸収差を適切に補正することが可能となる。
【００６６】
また、各実施例の光学系において、レンズ群ＬＡとレンズ群ＬＢは開口絞りＳＰを挟んで反対側に配置されていることが好ましい。すなわち、レンズ群ＬＡは開口絞りＳＰの光入射側に配置され、レンズ群ＬＢは開口絞りＳＰの光出射側に配置されていることが好ましい。開口絞りＳＰの光入射側は軸上光線の高さが比較的高く、開口絞りＳＰの光出射側は軸外光線の高さが比較的高い。このため、レンズ群ＬＡとレンズ群ＬＢは開口絞りＳＰを挟んで反対側に配置することで、フォーカシングに伴う光学性能の変化量を、画面の広い範囲にわたって効果的に低減させることが可能となる。
【００６７】
また、レンズ群ＬＡは負レンズと正レンズを含む３枚以上のレンズで構成されることが好ましい。また、レンズ群ＬＢは負レンズと正レンズを含む２枚以上のレンズで構成されることが好ましい。フォーカスレンズ群が負レンズと正レンズを含むことで、フォーカシング時の軸上色収差や倍率色収差の発生を抑制することができるためである。
【００６８】
また、第１レンズ群Ｌ１はフォーカシングに際して不動であることが好ましい。これにより、フォーカシング時の光学系の重心移動を低減でき、フォーカシングの操作性を向上させることができる。
【００６９】
次に、各実施例の光学系について詳細に述べる。
【００７０】
実施例１の光学系は、物体側から像側へ順に、正の屈折力の第１レンズ群Ｌ１、負の屈折力の第２レンズ群Ｌ２、開口絞りＳＰを含む正の屈折力の第３レンズ群Ｌ３、正の屈折力の第４レンズ群Ｌ４、負の屈折力の第５レンズ群Ｌ５から構成されている。第２レンズ群２はレンズ群ＬＡに相当し、無限遠から近距離へのフォーカシングに際して像側へ移動する。第４レンズ群Ｌ４はレンズ群ＬＢに相当し、無限遠から近距離へのフォーカシングに際して物体側へ移動する。第５レンズ群Ｌ５は部分光学系ＬＣに相当する。実施例１の光学系のβｍは−２．０である。
【００７１】
実施例２の光学系は物体側から像側へ順に、正の屈折力の第１レンズ群Ｌ１、負の屈折力の第２レンズ群Ｌ２、開口絞りＳＰ、正の屈折力の第３レンズ群Ｌ３、正の屈折力の第４レンズ群Ｌ４、負の屈折力の第５レンズ群Ｌ５から構成されている。第２レンズ群Ｌ２はレンズ群ＬＡに相当し、無限遠から近距離へのフォーカシングに際して像側へ移動する。第４レンズ群Ｌ４はレンズ群ＬＢに相当し、無限遠から近距離へのフォーカシングに際して物体側へ移動する。第５レンズ群Ｌ５は部分光学系ＬＣに相当する。また、第３レンズ群Ｌ３は無限遠から近距離へのフォーカシングに際して物体側へ移動する。実施例２の光学系のβｍは−２．０である。
【００７２】
実施例３の光学系は物体側から像側へ順に、正の屈折力の第１レンズ群Ｌ１、負の屈折力の第２レンズ群Ｌ２、開口絞りＳＰ、正の屈折力の第３レンズ群Ｌ３、負の屈折力の第４レンズ群Ｌ４、正の屈折力の第５レンズ群Ｌ５から構成されている。第２レンズ群Ｌ２はレンズ群ＬＡに相当し、無限遠から近距離へのフォーカシングに際して像側へ移動する。第３レンズ群Ｌ３はレンズ群ＬＢに相当し、無限遠から近距離へのフォーカシングに際して物体側へ移動する。第４レンズ群Ｌ４と第５レンズ群から成る部分光学系は負の屈折力を有し、部分光学系ＬＣに相当する。また、第４レンズ群Ｌ４は無限遠から近距離へのフォーカシングに際して物体側へ移動する。実施例３の光学系のβｍは−１．５である。
【００７３】
実施例４の光学系は物体側から像側へ順に、正の屈折力の第１レンズ群Ｌ１、負の屈折力の第２レンズ群Ｌ２、開口絞りＳＰを含む正の屈折力の第３レンズ群Ｌ３、正の屈折力の第４レンズ群Ｌ４、負の屈折力の第５レンズ群Ｌ５、負の屈折力の第６レンズ群Ｌ６、負の屈折力の第７レンズ群Ｌ７、負の屈折力の第８レンズ群Ｌ８から構成されている。第２レンズ群Ｌ２はレンズ群ＬＡに相当し、無限遠から近距離へのフォーカシングに際して像側へ移動する。第４レンズ群Ｌ４はレンズ群ＬＢに相当し、無限遠から近距離へのフォーカシングに際して物体側へ移動する。第５レンズ群Ｌ５乃至第８レンズ群Ｌ８は全体として負の屈折力を有し、部分光学系ＬＣに相当する。また、第５レンズ群Ｌ５は無限遠から近距離へのフォーカシングに際して物体側へ移動し、第７レンズ群Ｌ７は無限遠から近距離へのフォーカシングに際して像側へ移動する。実施例４の光学系のβｍは−２．８である。
【００７４】
実施例５の光学系は物体側から像側へ順に、正の屈折力の第１レンズ群Ｌ１、負の屈折力の第２レンズ群Ｌ２、開口絞りＳＰを含む正の屈折力の第３レンズ群Ｌ３、負の屈折力の第４レンズ群Ｌ４、負の屈折力の第５レンズ群Ｌ５から構成されている。第２レンズ群Ｌ２はレンズ群ＬＡに相当し、無限遠から近距離へのフォーカシングに際して像側へ移動する。第４レンズ群Ｌ４はレンズ群ＬＢに相当し、無限遠から近距離へのフォーカシングに際して像側へ移動する。第５レンズ群Ｌ５は部分光学系ＬＣに相当する。実施例５の光学系のβｍは−１．５である。
【００７５】
実施例６の光学系は物体側から像側へ順に、正の屈折力の第１レンズ群Ｌ１、負の屈折力の第２レンズ群Ｌ２、開口絞りＳＰを含む正の屈折力の第３レンズ群Ｌ３、負の屈折力の第４レンズ群Ｌ４、負の屈折力の第５レンズ群Ｌ５から構成されている。第２レンズ群Ｌ２はレンズ群ＬＡに相当し、無限遠から近距離へのフォーカシングに際して像側へ移動する。第４レンズ群Ｌ４はレンズ群ＬＢに相当し、無限遠から近距離へのフォーカシングに際して像側へ移動する。第５レンズ群Ｌ５は部分光学系ＬＣに相当する。また、第５レンズ群Ｌ５は無限遠から近距離へのフォーカシング時に像側へ移動する。実施例６の光学系のβｍは−２．０である。
【００７６】
実施例７の光学系は物体側から像側へ順に、負の屈折力の第１レンズ群Ｌ１、正の屈折力の第２レンズ群Ｌ２、開口絞りＳＰを含む負の屈折力の第３レンズ群Ｌ３、正の屈折力の第４レンズ群Ｌ４、負の屈折力の第５レンズ群Ｌ５から構成されている。第２レンズ群Ｌ２はレンズ群ＬＡに相当し、無限遠から近距離へのフォーカシングに際して物体側へ移動する。第４レンズ群Ｌ４はレンズ群ＬＢに相当し、無限遠から近距離へのフォーカシングに際して物体側へ移動する。第５レンズ群Ｌ５は部分光学系ＬＣに相当する。実施例７の光学系のβｍは−１．３である。
【００７７】
実施例８の光学系は物体側から像側へ順に、正の屈折力の第１レンズ群Ｌ１、正の屈折力の第２レンズ群Ｌ２、開口絞りＳＰを含む負の屈折力の第３レンズ群Ｌ３、負の屈折力の第４レンズ群Ｌ４、負の屈折力の第５レンズ群Ｌ５から構成されている。第２レンズ群Ｌ２はレンズ群ＬＡに相当し、無限遠から近距離へのフォーカシングに際して物体側へ移動する。第４レンズ群Ｌ４はレンズ群ＬＢに相当し、無限遠から近距離へのフォーカシングに際して像側へ移動する。第５レンズ群Ｌ５は部分光学系ＬＣに相当する。実施例８の光学系のβｍは−１．５である。
【００７８】
以下に、実施例１から８にそれぞれ対応する数値実施例１から８を示す。
【００７９】
各数値実施例の面データにおいて、ｒは各光学面の曲率半径、ｄ（ｍｍ）は第ｍ面と第（ｍ＋１）面との間の軸上間隔（光軸上の距離）を表わしている。ただし、ｍは光入射側から数えた面の番号である。また、ｎｄは各光学部材のｄ線に対する屈折率、νｄは光学部材のアッベ数を表わしている。
【００８０】
なお、各数値実施例において、ｄ、焦点距離（ｍｍ）、Ｆナンバー、半画角（°）は全て各実施例の光学系が無限遠物体に焦点を合わせた時の値である。バックフォーカスＢＦは最終レンズ面から像面までの距離である。レンズ全長は第１レンズ面から最終レンズ面までの距離にバックフォーカスを加えた値である。
【００８１】
また、各数値実施例において、非球面形状のレンズ面については、面番号の後に＊（アスタリスク）の符号を付加している。また、非球面データにおける「ｅ±Ｐ」は「×１０±Ｐ」を意味している。光学面の非球面形状は、光軸方向における面頂点からの変位量をｘ、光軸方向に垂直な方向における光軸からの高さをｈ、近軸曲率半径をＲ、円錐定数をＫ、非球面係数をＡ４，Ａ６、Ａ８とするとき、以下の式（Ａ）により表される。
ｘ＝（ｈ２／Ｒ）／［１＋｛１−（１＋ｋ）（ｈ／Ｒ）２｝１／２］＋Ａ４×ｈ４＋Ａ６×ｈ６＋Ａ８×ｈ８  （Ａ）
【００８２】
［数値実施例１］
単位 mm
面データ
面番号       r        d      nd         νd
1        115.041    4.96   2.00069    25.5
2       -298.226    1.20   1.53172    48.8
3         40.529    3.20
4         76.747    6.59   1.59522    67.7
5       -118.732    0.15
6        130.015    7.45   1.60311    60.6
7        -46.212    1.20   2.00069    25.5
8       -374.729    0.20
9         39.827    6.48   1.49700    81.5
10        -98.026  (可変)
11       -142.559    1.20   1.83481    42.7
12         33.718    3.80
13        -73.427    1.20   1.74320    49.3
14         33.507    4.63   1.80810    22.8
15          ∞     (可変)
16          ∞       0.20
17(絞り)    ∞       1.11
18        328.213    3.59   1.61997    63.9
19        -59.848  (可変)
20         69.543    4.29   1.59522    67.7
21        -76.731    0.20
22         61.230    5.38   1.60300    65.4
23        -38.999    2.00   1.76182    26.5
24       -310.133  (可変)
25        633.353    1.20   1.80100    35.0
26         27.848    2.84
27         35.158    1.38   1.48749    70.2
28         40.315    2.85   1.48749    70.2
29        165.151    6.60
30       -103.219    4.57   1.80810    22.8
31        -24.960    1.20   1.48749    70.2
32         44.976    8.95
33        -21.059    1.20   1.61800    63.3
34        -56.682    0.20
35         58.438    4.39   1.60311    60.6
36       -447.212   23.38
37          ∞       1.50   1.51633    64.1
38          ∞       0.37
像面        ∞
各種データ
焦点距離        99.70
Fナンバー       2.92
半画角（°）    12.24
像高            21.64
レンズ全長     164.46
BF              24.74
倍率            ∞        -1.0     -1.2     -2.0
d10            1.00      11.11    13.35    21.24
d15           21.24      11.13     8.90     1.00
d19           22.07      10.70     8.33     1.00
d24            1.00      12.36    14.74    22.07
レンズ群データ
群  始面    焦点距離
1     1      41.49
2    11     -25.11
3    16      81.94
4    20      41.27
5    25     -31.63
【００８３】
［数値実施例２］
単位 mm
面データ
面番号       r        d      nd         νd
1         85.290    5.22   1.91650    31.6
2       -257.004    2.93   1.57135    53.0
3         38.839    1.99
4         57.219    6.93   1.43875    94.9
5        -99.117    0.10
6         90.064    6.53   1.53775    74.7
7        -49.382    0.97   2.00100    29.1
8       -279.109    0.10
9         36.255    6.06   1.43875    94.9
10       -103.644  (可変)
11       -201.431    0.95   1.81600    46.6
12         30.483    4.64
13        -93.270    0.97   1.59282    68.6
14         32.887    4.07   1.78472    25.7
15        227.240  (可変)
16          ∞       0.47
17(絞り)    ∞     (可変)
18        686.622    4.34   1.53775    74.7
19        -53.732  (可変)
20         62.211    4.29   1.43875    94.9
21        -76.198    0.07
22         93.757    4.03   1.53775    74.7
23        -45.927    1.82   1.75520    27.5
24       -153.709  (可変)
25        311.541    4.40   1.80610    33.3
26         32.686    1.36
27         35.676    2.98   1.64000    60.1
28         43.556    5.00   1.95906    17.5
29         50.034    4.71
30      -1008.598    5.03   1.64769    33.8
31        -22.613    2.00   1.51633    64.1
32         57.920    9.80
33        -20.232    1.68   1.53775    74.7
34       -105.272    0.20
35         68.348    5.72   1.75500    52.3
36       -260.009   22.00
37          ∞       1.50   1.51633    64.1
38          ∞       0.36
像面        ∞
各種データ
焦点距離     111.55
Fナンバー      2.92
半画角（°）   10.98
像高           21.64
レンズ全長    170.07
BF             23.35
倍率           ∞       -1.0     -1.2     -2.0
d10            0.10     9.20    11.25    17.74
d15           18.64     9.53     7.49     1.00
d17           10.24     6.88     5.71     1.00
d19           17.27     5.91     4.44     0.10
d24            1.12    15.83    18.48    27.53
レンズ群データ
群  始面    焦点距離
1    1      42.28
2   11     -28.07
3   18      92.86
4   20      54.36
5   25     -35.12
【００８４】
［数値実施例３］
単位 mm
面データ
面番号       r        d      nd         νd
1        114.017    4.02   1.83481    42.7
2       -129.357    1.22
3         41.490    4.73   1.43875    94.9
4       -152.883    0.63
5        -91.942    0.70   1.96300    24.1
6        120.327    0.19
7         33.297    4.00   1.43875    94.9
8       -220.670  (可変)
9      -1358.413    0.98   1.75500    52.3
10         23.285    3.61
11       -227.223    0.99   1.63930    44.9
12         23.180    3.58   1.85896    22.7
13        106.679  (可変)
14          ∞       0.48
15(絞り)    ∞     (可変)
16         75.913    5.01   1.49700    81.5
17        -49.042    0.04
18         44.446    6.98   1.49700    81.5
19        -38.982    1.60   1.62004    36.3
20       -169.950  (可変)
21        111.697    2.72   1.75500    52.3
22         23.318  (可変)
23         32.386    6.14   2.00100    29.1
24        125.586    1.30   1.80810    22.8
25         34.640    7.32
26        -25.350    1.20   1.59282    68.6
27       -266.543    0.51
28         51.360    8.18   1.49700    81.5
29        -75.306   25.12
30          ∞       1.50   1.51633    64.1
31          ∞       0.37
像面        ∞
各種データ
焦点距離      87.55
Fナンバー      2.92
半画角（°）   13.88
像高           21.64
レンズ全長    142.88
BF             26.49
倍率           ∞     -1.0     -1.2     -1.5
d 8            0.26   10.40    11.57    12.92
d13           13.83    3.70     2.52     1.18
d15           25.22    8.68     5.57     0.99
d20            7.91   20.96    24.57    29.95
d22            3.03    6.51     6.02     5.22
レンズ群データ
群   始面    焦点距離
1     1      42.79
2     9     -28.65
3    16      36.08
4    21     -39.56
5    23     195.21
【００８５】
［数値実施例４］
単位 mm
面データ
面番号       r        d      nd         νd
1         74.790    5.74   1.91082    35.3
2       -307.571    1.62   1.53775    74.7
3         38.330    1.90
4         53.851    7.31   1.43875    94.9
5        -93.659    0.07
6         59.550    7.10   1.43875    94.9
7        -44.235    0.95   2.00069    25.5
8       -164.661    0.10
9         43.409    4.59   1.49700    81.5
10        -86.408  (可変)
11       -122.734    0.97   1.85150    40.8
12         26.875    3.96
13        -59.975    0.92   1.69680    55.5
14         28.933    3.57   1.85896    22.7
15        229.535  (可変)
16          ∞       0.37
17(絞り)    ∞       0.88
18       5369.938    3.54   1.59282    68.6
19        -56.682  (可変)
20         87.558    4.96   1.43875    94.9
21        -53.346   -0.05
22         40.433    6.61   1.43875    94.9
23        -47.075    1.19   1.73800    32.3
24       -111.190  (可変)
25         28.369    1.81   1.75700    47.8
26         20.367  (可変)
27         33.781    4.65   1.67270    32.1
28       -887.252    2.88   2.00069    25.5
29         40.642  (可変)
30        -48.362    6.01   2.00069    25.5
31        -34.690    2.50   1.51823    58.9
32       -172.798  (可変)
33        -38.708    1.33   1.72916    54.7
34         73.913    0.18
35         46.440    5.51   1.85478    24.8
36        320.700   25.00
37          ∞       1.50   1.51633    64.1
38          ∞       0.38
像面        ∞
各種データ
焦点距離      97.07
Fナンバー      2.92
半画角（°）   12.56
像高          21.64
レンズ全長   177.88
BF            26.37
倍率           ∞     -1.0     -1.2     -2.8
d10            0.12    8.75    10.64    19.95
d15           20.83   12.19    10.31     1.00
d19           33.88   19.61    16.97     1.00
d24            0.22    9.03    10.81    24.21
d26            2.87    8.33     9.19    11.77
d29            3.91    8.34     8.79     8.30
d32            8.50    4.07     3.62     4.11
レンズ群データ
群   始面   焦点距離
1     1      37.25
2    11     -19.88
3    16      94.64
4    20      41.79
5    25    -105.69
6    27    -333.13
7    30    -369.69
8    33     -77.66
【００８６】
［数値実施例５］
単位 mm
面データ
面番号       r        d      nd         νd
1        237.159    3.97   1.59522    67.7
2       -138.265    0.14
3         70.172    4.92   1.59522    67.7
4       -213.463    1.27
5       -136.032    1.19   1.80810    22.8
6        184.319    0.19
7         31.946    4.06   1.80810    22.8
8         26.285    1.23
9         33.957    4.15   1.59522    67.7
10       2307.010  (可変)
11       -309.389    0.99   1.88300    40.8
12         31.039    5.19
13        -63.445    0.84   1.76385    48.5
14         42.029    3.79   1.80810    22.8
15        -93.464  (可変)
16(絞り)    ∞       3.00
17        925.313    5.66   1.48749    70.2
18        -36.874    3.01
19         42.040    5.55   1.65160    58.5
20        -70.827    1.10   1.96300    24.1
21       -144.265  (可変)
22        -42.225    1.13   1.73400    51.5
23         61.187    7.78
24       1917.613    4.80   1.76385    48.5
25        -36.897  (可変)
26        -50.032    4.00   2.00069    25.5
27        124.454    0.02
28        110.649    4.55   1.48749    70.2
29       -254.409   21.52
30          ∞       1.50   1.51633    64.1
31          ∞       0.50
像面        ∞
各種データ
焦点距離      87.51
Fナンバー     2.92
半画角（°）  13.89
像高          21.64
レンズ全長   156.89
BF            23.01
倍率            ∞      -1.0     -1.2     -1.5
d10            0.94    21.82    25.73    30.69
d15           31.40    10.51     6.60     1.64
d21            1.74    18.16    21.53    28.05
d25           27.29    10.87     7.49     0.97
レンズ群データ
群   始面   焦点距離
1     1      50.01
2    11     -30.25
3    16      32.88
4    22    -589.89
5    26     -46.20
【００８７】
［数値実施例６］
単位 mm
面データ
面番号       r        d      nd         νd
1        500.000    3.41   1.59282    68.6
2       -157.319    0.10
3         50.189    5.30   1.72916    54.7
4*      -986.012    1.29
5       -219.904    1.06   1.92286    20.9
6        228.546    0.03
7        117.713    1.36   2.00069    25.5
8         49.166   -0.07
9         41.015    6.89   1.59522    67.7
10        -83.063  (可変)
11       1295.851    0.94   1.81600    46.6
12         29.227    5.23
13        -55.392    0.63   1.69350    50.8
14         29.582    4.14   1.92286    20.9
15        539.950  (可変)
16(絞り)    ∞       1.79
17        106.286    5.53   1.59522    67.7
18*       -43.684    3.02
19         62.655    6.12   1.59522    67.7
20        -30.037    0.94   2.00069    25.5
21        -54.423  (可変)
22        -42.852    1.08   1.59282    68.6
23         40.106   20.65
24       -181.857    4.82   1.69930    51.1
25        -34.638  (可変)
26        -66.535    1.19   2.00069    25.5
27         94.110    1.29
28         94.110    3.22   1.48749    70.2
29       -300.000   12.27
30          ∞       1.50   1.51633    64.1
31          ∞       0.44
像面        ∞
非球面データ
第4面
K = 0.00000e+000  A 4= 2.58513e-006  A 6=-4.47243e-010  A 8= 1.68012e-012
第18面
K = 0.00000e+000  A 4= 9.95902e-007  A 6=-3.39682e-011  A 8=-1.43118e-012
各種データ
焦点距離      87.58
Fナンバー      2.92
半画角（°）   13.88
像高          21.64
レンズ全長   161.43
BF            13.70
倍率            ∞     -1.0     -1.2     -2.0
d10            0.61   15.16    18.12    27.53
d15           28.36   13.81    10.84     1.43
d21            0.97   17.91    21.81    38.44
d25           37.8    20.91    17.01     0.98
レンズ群データ
群   始面   焦点距離
1     1      47.55
2    11     -28.82
3    16      31.66
4    22    -1815.99
5    26     -53.75
【００８８】
［数値実施例７］
単位 mm
面データ
面番号       r        d      nd         νd
1         50.145    5.00   1.43875    94.9
2       -681.596    2.00   1.65412    39.7
3         60.273  (可変)
4         41.198    5.90   1.88300    40.8
5       -591.996    0.11
6*        48.387    1.11   1.96300    24.1
7         24.644    7.20   1.59522    67.7
8       -440.997  (可変)
9       -262.028    1.11   1.65160    58.5
10         16.355    4.56   1.80810    22.8
11         27.780    3.29
12          ∞       0.36
13(絞り)    ∞       0.79
14       -406.850    0.80   1.61800    63.3
15         46.406  (可変)
16*       105.635    1.38   1.85896    22.7
17         24.111    8.22   1.89190    37.1
18        -39.767  (可変)
19        103.411    1.18   1.96300    24.1
20         32.474   14.43
21        -25.796    4.50   1.91650    31.6
22        -78.407    0.19
23       -323.723    8.89   1.72825    28.5
24        -29.595   29.07
25          ∞       1.50   1.51633    64.1
26          ∞       0.30
像面        ∞
非球面データ
第6面
K = 0.00000e+000  A 4=-2.44854e-006  A 6=-1.45860e-009  A 8=-3.67049e-012
第16面
K = 0.00000e+000  A 4=-8.81694e-006  A 6=-2.05356e-009  A 8=-7.47750e-012
各種データ
焦点距離     100.00
Fナンバー      2.92
半画角（°）   12.21
像高          21.64
レンズ全長   133.45
BF            30.36
倍率            ∞      -1.0     -1.2     -1.3
d 3           14.84     2.70     0.99      0.18
d 8            0.82    12.96    14.66     15.48
d15           14.96     9.21     6.56      5.27
d18            1.46     7.21     9.87     11.15
レンズ群データ
群  始面    焦点距離
1    1    -508.03
2    4      34.65
3    9     -26.54
4   16      32.41
5   19    -100.11
【００８９】
［数値実施例８］
単位 mm
面データ
面番号       r        d      nd         νd
1        309.543    6.87   1.60342    38.0
2        -56.853    1.50   1.91082    35.3
3       -337.400    0.20
4        706.618    4.04   1.59282    68.6
5       -103.752    0.19
6         36.947    3.80   1.78472    25.7
7         61.026    4.20
8         45.266    1.29   2.00069    25.5
9         28.449  (可変)
10         31.551    1.19   2.00069    25.5
11         23.542    5.24   1.59522    67.7
12        122.935    0.29
13         39.982    3.78   1.59522    67.7
14       -576.650  (可変)
15(絞り)    ∞       2.03
16        -46.435    1.20   1.80440    39.6
17         30.267    3.88
18      -2325.853    3.71   1.74077    27.8
19        -32.818    2.99   1.48749    70.2
20        -26.802  (可変)
21        -80.286    4.50   1.91082    35.3
22        -17.723    1.07   1.60342    38.0
23         76.812  (可変)
24        -20.525    1.19   1.91082    35.3
25        -75.757    1.44   1.85896    22.7
26        -66.498    1.18
27*        37.095    4.00   1.80810    22.8
28         55.754    4.51   1.51633    64.1
29       -314.637   22.22
30          ∞       1.50   1.51633    64.1
31          ∞       0.47
像面        ∞
非球面データ
第27面
K = 0.00000e+000  A 4=-7.61233e-006  A 6= 7.25390e-009  A 8=-5.55141e-012
各種データ
焦点距離     118.66
Fナンバー      2.92
半画角（°）   10.33
像高          21.64
レンズ全長   137.11
BF            23.67
倍率           ∞      -1.0     -1.2     -1.5
d 9           24.22     8.79     5.95     1.83
d14            0.47    15.90    18.73    22.86
d20            7.28    12.66    15.00    19.81
d23           17.18    11.79     9.46     4.64
レンズ群データ
群   始面   焦点距離
1     1     237.94
2    10      39.94
3    15     -98.01
4    21    -637.80
5    24    -100.04
【００９０】
各数値実施例における種々の値を、以下の表１にまとめて示す。
【００９１】
【表１】
2020064123.tif 000003
【００９２】
［撮像装置］
次に、本発明の光学系を撮像光学系として用いたデジタルスチルカメラ（撮像装置）の実施例について、図１７を用いて説明する。図１７において、１０はカメラ本体、１１は実施例１乃至８で説明したいずれかの光学系によって構成された撮影光学系である。１２はカメラ本体に内蔵され、撮影光学系１１によって形成された光学像を受光して光電変換するＣＣＤセンサやＣＭＯＳセンサ等の固体撮像素子（光電変換素子）である。カメラ本体１０はクイックターンミラーを有する所謂一眼レフカメラでも良いし、クイックターンミラーを有さない所謂ミラーレスカメラでも良い。
【００９３】
このように本発明の光学系をデジタルスチルカメラ等の撮像装置に適用することにより、等倍以上の撮影倍率での撮影が可能であり、装置全体が小型で、光学性能の高い撮像装置を得ることができる。
【００９４】
以上、本発明の好ましい実施形態及び実施例について説明したが、本発明はこれらの実施形態及び実施例に限定されず、その要旨の範囲内で種々の組合せ、変形及び変更が可能である。
【符号の説明】
【００９５】
ＬＡ  レンズ群ＬＡ
ＬＢ  レンズ群ＬＢ
ＬＣ  部分光学系ＬＣ
【図１】
2020064123.tif 000004
【図２】
2020064123.tif 000005
【図３】
2020064123.tif 000006
【図４】
2020064123.tif 000007
【図５】
2020064123.tif 000008
【図６】
2020064123.tif 000009
【図７】
2020064123.tif 000010
【図８】
2020064123.tif 000011
【図９】
2020064123.tif 000012
【図１０】
2020064123.tif 000013
【図１１】
2020064123.tif 000014
【図１２】
2020064123.tif 000015
【図１３】
2020064123.tif 000016
【図１４】
2020064123.tif 000017
【図１５】
2020064123.tif 000018
【図１６】
2020064123.tif 000019
【図１７】
2020064123.tif 000020